(57)【要約】照明器具などの物体１０２を天井１０３から所定の高さに吊り下げるための吊設装置１０１を提供する。本発明の吊設装置１０１は、２５０ｍｍ以上の長さを有する少なくとも１つのロッド部材１０４と、１本のフレキシブルな吊り索１０５とを含む。ロッド部材１０４は、少なくとも１つの磁気結合手段１０７、１０８を該ロッド部材に取り付けるための少なくとも１つの取り付け手段１０６と、吊り索の上側部分１０５´をロッド部材１０４の長手方向（Ｚ１）に摺動自在に支持する少なくとも１つのアライメント手段とを有している。吊設装置１０１は、吊り索１０５に物体１０２を吊り下げるための少なくとも１つの吊り下げ手段１１０と、ロッド部材１０４及び吊り下げ手段１１０間における吊り索１０５の長さＬ１を調節するための長さ調節器具１１１とをさらに含む。【選択図】図１
2013513214.tif 000002
【特許請求の範囲】
【請求項１】
物体を天井から所定の高さに吊設するための吊設装置であって、
少なくとも１つのロッド部材と、
１本のフレキシブルな吊り索とを含み、
前記ロッド部材が、２５０ｍｍ以上の長さを有し、かつ少なくとも１つの磁気結合手段を該ロッド部材に取り付けるための少なくとも１つの取り付け手段及び、前記吊り索の上側部分を該ロッド部材にその長手方向に摺動自在に支持する少なくとも１つのアライメント手段を有し、
当該吊設装置が、
前記吊り索に前記物体を吊り下げるための少なくとも１つの吊り下げ手段と
前記ロッド部材及び前記吊り下げ手段間における前記吊り索の長さを調節するための長さ調節器具とをさらに含むことを特徴とする装置。
【請求項２】
請求項１に記載の吊設装置であって、
前記ロッド部材が、その一端部のみを固定支持して吊設した状態で物体を吊り下げたときのたわみが１センチメートル／メートル以下となる曲げ剛性を有することを特徴とする装置。
【請求項３】
請求項１または２に記載の吊設装置であって、
前記物体を吊り下げたときに、前記吊り索が、前記長さ調節器具によって閉じられたループをなすようにしたことを特徴とする装置。
【請求項４】
請求項１または２に記載の吊設装置であって、
前記物体を吊り下げたときに、前記吊り索が、前記吊り下げ手段及び／または前記物体と共に、前記長さ調節器具によって閉じられたループをなすようにしたことを特徴とする装置。
【請求項５】
請求項１ないし３のいずれかに記載の吊設装置であって、
前記吊り下げ手段が、一端部のみを固定支持して吊設した状態で物体を吊り下げたときのたわみが１センチメートル／メートル以下となる曲げ剛性を有する細長い部材から構成されたことを特徴とする装置。
【請求項６】
請求項１、２、３または５のいずれかに記載の吊設装置であって、
前記吊り下げ手段が、前記吊り索の下側部分を摺動自在に受容する長手方向チャンネルを有する細長い部材から構成されたことを特徴とする装置。
【請求項７】
請求項１、２、３または５のいずれかに記載の吊設装置であって、
前記吊り下げ手段が、前記物体と結合可能に構成された少なくとも１つの吊り下げ部材を備えた細長い部材から構成されたことを特徴とする装置。
【請求項８】
請求項１、２または４のいずれかに記載の吊設装置であって、
前記吊り下げ手段が、前記吊り索の端部に固着され、前記物体と結合可能に構成された少なくとも１つの結合部材を含むことを特徴とする装置。
【請求項９】
請求項１ないし８のいずれかに記載の吊設装置であって、
前記吊り下げ手段が、照明器具と結合可能に構成された吊り下げ部材及び／または結合部材を含むことを特徴とする装置。
【請求項１０】
請求項１ないし９のいずれかに記載の吊設装置であって、
前記アライメント手段が、前記ロッド部材を長手方向に貫通して形成され、前記吊り索の上側部分を摺動自在に支持する長手方向チャンネルを含むことを特徴とする装置。
【請求項１１】
請求項１ないし９のいずれかに記載の吊設装置であって、
前記アライメント手段が、前記ロッド部材にその長さ方向に沿って設けられ、前記吊り索の上側部分を摺動自在に支持する少なくとも２つのフック手段を含むことを特徴とする装置。
【請求項１２】
請求項１ないし１１のいずれかに記載の吊設装置であって、
前記取り付け手段が、前記ロッド部材に形成され、前記磁気結合手段の頭部を前記ロッド部材の一端部から挿入して前記ロッド部材の長手方向に沿って摺動移動させることができる溝を含むことを特徴とする装置。
【請求項１３】
請求項１ないし１２のいずれかに記載の吊設装置であって、
前記磁気結合手段が、
軸状部と、
前記軸状部の一端に結合され、天井または吊り天井の金属面に磁気結合可能な板状の永久磁石と、
前記軸状部の他端に設けられ、前記ロッド部材に形成された溝に係合可能な形状を有する頭部とを有することを特徴とする装置。
【請求項１４】
請求項１ないし１３のいずれかに記載の吊設装置であって、
前記ロッド部材及び／または前記吊り下げ手段が、前記吊り索が前記ロッド部材及び／または前記吊り下げ手段の長手方向に摺動することができないように前記吊り索の位置を固定するための固定手段を備えることを特徴とする装置。
【請求項１５】
請求項１４に記載の吊設装置であって、
前記固定手段が、前記吊り索を通した状態の前記ロッド部材及び／または前記吊り下げ手段の端部に適合するように構成されたキャップを含むことを特徴とする装置。
【請求項１６】
請求項１に記載の吊設装置の使用方法であって、
前記少なくとも１つの磁気結合手段を前記ロッド部材の前記少なくとも１つの取り付け手段に取り付けるステップと、
前記少なくとも１つの磁気結合手段を、天井または天井の下側に設けられた吊り天井の所望の位置で前記天井または吊り天井の金属面に磁気的に結合させるステップと、
前記ロッド部材の前記少なくとも１つのアライメント手段によって、前記吊り索のループ上側部分を前記ロッド部材にその長手方向に摺動自在に吊り下げるステップと、
前記少なくとも１つの吊り下げ手段によって、前記吊り索のループ下側部分に前記物体を吊り下げるステップと、
前記ロッド部材及び前記吊り下げ手段間における前記吊り索の長さを前記長さ調節器具によって調節するステップと、
前記吊り索のループ上側部分の前記ロッド部材の長手方向への摺動調節及び／または前記吊り索のループ下側部分の前記吊り下げ手段の長手方向への摺動調節によって、前記物体のアライメント及び／または床からの高さを調節するステップとを含む方法。
【発明の詳細な説明】
【技術分野】
【０００１】
本発明は、照明器具などの物体を天井から所定の高さに吊り下げるための吊設装置に関する。本発明はまた、照明器具などの物体を吊り下げるための吊設装置の使用に関する。
【背景技術】
【０００２】
店舗、スーパーマーケット、オフィス、工場では、多くの場合、室内を適切に照明するために、照明器具を、部屋の所定の位置において床から所定の高さに吊設する必要がある。通常、照明器具の吊設は、天井パネルが嵌め込まれる金属製の枠組から構成された吊り天井から吊り索またはワイヤで吊り下げることによってなされる。このような吊設の問題は、一般的に、天井パネルの曲げ剛性が、吊り索を天井パネルに直接的に取り付けることができないほど低いことである。そのため、吊り索を天井パネルに直接的に結合させると、天井パネルにたわみが生じてしまう。したがって、吊り索は、金属製の枠組に取り付けなければならない。照明器具は通常、水平面において所定の態様で吊設され、照明器具のアライメントは吊設後も維持しなければならない。吊設された照明器具についての所望のアライメント安定性を得るためには、照明器具毎に、吊り天井の金属製枠組のいくつかの吊り下げ位置と、いくつかの吊り索が必要とされる。照明器具を、床から任意の高さに、かつ床面に対して所望のアライメント（床面に対して平行であることが好ましい）で吊設するためには、各吊り索が適切な長さ調節器具を備えるか、または照明器具を吊設する前に吊り索を切断して吊り索の長さを調節する必要がある。
【０００３】
吊り天井が設けられていない部屋の場合、照明器具は天井から直接的に吊り下げられる。この場合もまた、吊り索を、天井における十分な曲げ剛性を有する部分、例えば屋根梁や波形金属板屋根の梁要素などに取り付ける必要があった。従来の吊設装置では、吊り索を天井の任意の位置に取り付ること、並びに、複数の吊り索及び長さ調節器具を用いるかまたは吊設する前に吊り索を切断して吊り索の長さを調節することなく照明器具を部屋の所望の位置において所定の高さに傾かないように吊り下げることは、困難または不可能であった。
【発明の概要】
【課題を解決するための手段】
【０００４】
したがって、本発明の第１の目的は、照明器具などの物体を天井から所定の高さに角度安定的に（傾かないように）吊設することができる、かつ安価な吊設装置を提供することにある。本発明の吊設装置は、長さ調節器具を各々備えた複数の吊り索を必要としたり、物体を吊り下げる前に吊り索を切断して吊り索の長さを調節したりすることなく照明器具を天井における任意の吊り下げ位置から吊設することができ、かつ照明器具を所望する実質的に恒久的なアライメント（角度）及び高さに配置することを可能にする。また、本発明の吊設装置は、小さい物体を、天井の１カ所の吊り下げ位置から角度安定的に吊設することを可能にする。
【０００５】
この第１の目的を達成するために、本発明の吊り下げ措置は、少なくとも１つのロッド部材と、１本のフレキシブルな吊り索とを含む。前記ロッド部材は、２５０ｍｍ以上の長さを有する。また、前記ロッド部材は、少なくとも１つの磁気結合手段を該ロッド部材に取り付けるための少なくとも１つの取り付け手段と、前記吊り索の上側部分を該ロッド部材にその長手方向に摺動自在に支持する少なくとも１つのアライメント手段とを有している。また、本発明の吊設装置は、前記吊り索に物体を吊り下げるための少なくとも１つの吊り下げ手段と、前記ロッド部材及び前記吊り下げ手段間における前記吊り索の長さを調節するための長さ調節器具とをさらに含む。
【０００６】
本発明の第２の目的は、物体を天井から所定の高さに素早く、簡単に、かつ安価に吊り下げることができるという、上記の装置の特に有利な使用を示すことである。
【０００７】
この目的を達成するために、本発明の吊り下げ措置は、少なくとも１つのロッド部材と、閉ループを形成する１本のフレキシブルな吊り索と、天井または天井の下側に設けられた吊り天井の所望の位置で前記天井または吊り天井の金属面に磁気的に結合することができる少なくとも１つの磁気結合手段と、前記ロッド部材に設けられ、前記磁気結合手段を該ロッド部材に取り付けるための少なくとも１つの取り付け手段と、前記吊り索の上側部分を前記ロッド部材にその長手方向に摺動自在に支持する少なくとも１つのアライメント手段と、前記吊り索の下側部分に前記物体を吊り下げるための少なくとも１つの吊り下げ手段と、前記ロッド部材及び前記吊り下げ手段間における前記吊り索の長さを調節するための長さ調節器具とを含み、前記吊り索の上側部分を前記ロッド部材の長手方向へ摺動移動させて前記吊り索の上側部分の前記ロッド部材に対する位置を調節するか、及び／または前記吊り索の下側部分を前記吊り下げ手段の長手方向へ摺動移動させて前記吊り索の下側部分の前記吊り下げ手段に対する位置を調節することによって、前記物体のアライメント及び／または床からの高さを調節するように構成されている。
【０００８】
本発明の他の利点及び特徴は下記の説明から明らかになるであろう。
【図面の簡単な説明】
【０００９】
以下、本発明のいくつかの実施形態を、単なる例示として、添付図面を参照してより詳細に説明する。
【００１０】
【図１】本発明の好適な実施形態による吊設装置を天井の金属部材から吊り下げた状態を示す概略図である。
【図２】本発明の好適な実施形態による吊設装置を吊り下げる前の状態を示す概略斜視図である。
【図３】本発明の別の実施形態による吊設装置を波形金属板屋根の梁要素から吊り下げた状態を示す概略図である。
【図４】本発明の別の実施形態による吊設装置を吊り下げる前の状態を示す概略斜視図である。
【発明を実施するための形態】
【００１１】
図１は、本発明の好適な実施形態による吊設装置を天井の金属部材から吊り下げた状態を示す概略図である。図２は、本発明の好適な実施形態による吊設装置を吊り下げる前の状態を示す概略斜視図である。
【００１２】
本発明による吊設装置１０１は、物体１０２を天井１０３から所定の高さに吊設するためのものである。本発明の吊設装置は、天井、天井の下側に設けられた吊り天井、または吊設装置が使用される室内に設けられた他の適切な支持構造体から直接的に吊り下げることができることに留意されたい。本発明の吊設装置は、蛍光灯器具などの照明器具を吊設することができるようにデザインされていることが好ましい。しかし、本発明の吊設装置は、重すぎたり嵩張りすぎたりしない限り、任意の他の種類の物体を吊設するために使用することができる。そのような物体の例としては、様々な種類の案内看板、広告看板、視覚的表示装置、情報表示装置などがある。
【００１３】
本発明による吊設装置１０１は、少なくとも１つのロッド部材１０４と、１本のフレキシブルな吊り索１０５とを含んでいる。フレキシブルな吊り索１０５は、スチールワイヤであることが好ましいが、別の材料からなるワイヤ、糸、索またはひもを用いてもよい。ロッド部材１０４は、高剛性かつ低重量の材料から作製されており、アルミニウム部材から作製することが好ましいが、プラスチック材料、複合材料、木材などからも作製され得る。ロッド部材１０４は、ロッド部材の一端部のみを固定支持して吊設した状態で物体１０２を吊り下げたときのたわみが１メートル当たり１センチメートル以下となる曲げ剛性（bending resistance）を有することが好ましい。
【００１４】
本発明によれば、ロッド部材１０４は、蛍光灯器具などの一般的な吊り下げ物体の十分なアライメント安定性（alignment stability）を得るために必要とされる２５０ミリメートル以上の長さを有している。ロッド部材１０４は、少なくとも１つの磁気結合手段１０７、１０８をロッド部材１０４に取り付けるための少なくとも１つの取り付け手段１０６を有している。図１に示す好適な実施形態では、前記取り付け手段は、ロッド部材１０４に形成された細長い溝１０６からなる。細長い溝１０６は、数個の磁気結合手段１０７、１０８（図１の実施形態では２個）の頭部をロッド部材１０４の一端から挿入して該溝に沿って所望する位置まで摺動移動させることができるように形成されている。好適な実施形態では、磁気結合手段１０８は、軸状部と、前記軸状部の一端に結合され、天井または吊り天井の金属面に磁気的に結合することができる板状の永久磁石と、前記軸状部の他端に設けられ、ロッド部材１０４に形成された溝１０６に結合可能な形状を有する頭部とを有している。
【００１５】
本発明によれば、ロッド部材１０４は、吊り索の上側部分１０５´をロッド部材１０４に、ロッド部材１０４の長手方向（図１に矢印Ｚ１で示す）に摺動自在に支持する少なくとも１つのアライメント手段（alignment means）１０９をさらに有している。図１及び図２に示す好適な実施形態では、アライメント手段１０９はロッド部材１０４を長手方向に貫通して形成された長手方向チャンネルから構成されており、吊り索の上側部分１０５´を摺動自在に支持する。
【００１６】
本発明による吊設装置１０１は、吊り索１０５に物体１０２を吊り下げるための少なくとも１つの吊り下げ手段１１０と、ロッド部材１０４及び吊り下げ手段１１０間における吊り索１０５の長さＬ１を調節するための長さ調節器具１１１とをさらに含む。吊り下げ手段１１０は、一端部のみを固定支持して吊設した状態で物体を吊り下げたときのたわみが１センチメートル／メートル以下となる曲げ剛性を有する細長い部材から構成することが好ましい。図１に示す好適な実施形態では、前記吊り下げ手段は、吊り索の下側部分１０５´´を摺動自在に受容する長手方向チャンネルを有する細長い部材１１０からなる。細長い部材１１０は、アルミニウムから作製することが好ましい。好適な実施形態では、細長い部材１１０は、物体１０２と結合可能に構成された少なくとも１つの吊り下げ部材１１２´、１１２´´を備えている。図１及び図２に示す好適な実施形態では、前記吊り下げ部材は、細長い部材１１０の底部に形成された溝に挿入して該溝に沿って所望する位置まで摺動移動させることができ、かつ、吊り下げられる物体に設けられた開口またはループ状部材と結合することができるように構成された２つのフック１１２´、１１２´´からなる。なお、吊り下げられる物体に設けられた結合面または結合部と結合することができるように構成される限りは、吊り下げ部材１１２´、１１２´´は他の様々なデザインが考えられる。
【００１７】
図１に示す好適な実施形態では、物体１０２を吊り下げたときに、吊り索１０５は、長さ調節器１１１によって閉じられたループをなしている。この好ましい実施形態では、吊り下げられる物体のアライメント（傾き）及び床面からの高さの調節は全て、長さ調節器具１１１、並びに、吊り索の上側部分１０５´のロッド部材１０４の長手方向への摺動調節（Ｚ１）及び／または吊り索の下側部分１０５´´の吊り下げ手段１１０の長手方向への摺動調節（Ｚ２）により行われる。図１及び図２に示す実施形態では、前記長さ調節器具は、吊り索の閉ループ１０５を２方向に短くすることができる２組の内部係合舌部（いわゆるバンドルストラップ（bundle strap）と同様の機構）を有するワイヤロック１１１である。ワイヤロック１１１は、吊り索のループを長くすることを所望する場合に、先のとがった道具によって係合を解除することができるように構成されることが好ましい。なお、前記長さ調節器具は、他の様々なデザインが考えられ、例えば、吊り索の両端部を金属製舌部の間に挟むか、またはねじり合わせることにより、吊り索の両端部を所望の位置に固定するデザインが考えられる。
【００１８】
ロッド部材１０４及び／または吊り下げ手段１１０は、吊り索１０５がロッド部材１０４及び／または吊り下げ手段１１０の長手方向に摺動することができないように吊り索１０５の位置を固定するための固定手段１１３´、１１３´´を備えることが好ましい。図１及び図２に示す実施形態では、前記固定手段は、吊り索１０５を通した状態の吊り下げ手段１１０の各端部に適合されるように構成された２つのキャップ１１３´、１１３´´からなる。必要であれば、吊り下げ後に物体のアライメント（傾き）が乱れないことを確実にするために、同様の固定手段をロッド部材１０４の端部に適用してもよい。
【００１９】
図３及び図４は、本発明の別の実施形態による吊設装置の概略図である。この別の実施形態による吊設装置２０１は、少なくとも１つのロッド部材２０４と、１本のフレキシブルな吊り索２０５とを含んでいる。上述した実施形態と同様に、ロッド部材２０４は２５０ミリメートル以上の長さを有し、かつ少なくとも１つの磁気結合手段２０７をロッド部材２０４に取り付けるための溝状の取り付け手段２０６を有している。図３の実施形態では、磁気結合手段２０７は、金属板屋根の梁要素と磁気的に結合可能な１個の板状永久磁石である。図３に示すように、本発明の吊設装置は、天井、吊り天井または天井の下側に設けれた他の構造体の１か所の吊り上げ位置から、軽量の蛍光灯器具などの物体を吊設することができる。
【００２０】
図３及び図４に示す本発明の別の実施形態の吊り上げ装置２０１は、貫通チャンネル（図１及び図２の１０９）の代わりに、ロッド部材２０４にその長手方向に沿って設けられ、吊り索の上側部分２０５´を摺動自在に支持するように構成された３つのフック手段２０９´、２０９´´、２０９´´´からなるアライメント手段を有している。前記フック手段は、物体を吊り下げたときに、所望に応じて吊り索の上側部分２０５´を所望の位置で係合支持（clamp）することができる金属製舌部としてデザインされている。図３及び図４に示す本発明におけるロッド部材２０４の前記アライメント手段は、吊り索の上側部分２０５´がロッド部材２０４の長手方向に摺動することができないように吊り索の上側部分２０５´の位置を固定するための固定手段２０９´、２０９´´、２０９´´´としての役割も果たす。
【００２１】
この別の実施形態では、吊設装置２０１は、吊り索２０５に物体２０２を吊り下げるための少なくとも１つの吊り下げ手段２１０´、２１０´´を含む。図３及び図４に示す実施形態では、前記吊り下げ手段は、吊り索２０５の各端部に固着され、物体２０２と結合することができるように構成された２つのフック状の結合部材２１０´、２１０´´からなる。
【００２２】
そして、この別の実施形態による吊設装置２０１は、ロッド部材２０４及び吊り下げ手段２１０´、２１０´´間における吊り索２０５の長さＬ２を調節するための長さ調節器具２１１をさらに含む。この別の実施形態では、前記長さ調節器具は、吊り索の閉ループ２０５の長さを一方向にのみ短くすることができるワイヤロック２１１である。ワイヤロック２１１は、前記フック状結合部材の１つ（例えば２１０´´）と一体的に設けるようにしてもよい。
【００２３】
この別の実施形態では、物体２０２を吊り下げたとき、吊り索２０５は、吊り下げ手段（結合手段２１０´、２１０´´）及び物体２０２と共に、長さ調節器具２１１によって閉じられたループをなしている。図３では、物体２０２は蛍光灯器具であり、破線で示されている。本発明の吊設装置によって吊り下げられた蛍光灯器具の高さ及びアライメント（傾き）の調節は、長さ調節器具２１１、並びに、吊り索の上側部分２０５´のロッド部材２０４の長手方向への摺動調節により行われる。その後、吊り索の上側部分２０５´がロッド部材２０４の長手方向に摺動することができないように、ロッド部材２０４に設けられたアライメント手段及び固定手段の組み合わせ２０９´、２０９´´、２０９´´´によって吊り索の上側部分２０５´の位置を固定し、このことにより、蛍光灯器具２０２の高さ及びアライメント（傾き）が固定される。
【００２４】
以下、上述した本発明の吊設装置の特定の有益な使用について、図１を参照して説明する。本発明の吊設装置は、安価であり、物体を天井から所定の高さに、素早くかつ簡単に吊り下げることができる。
【００２５】
本発明の吊設装置１０１は、物体を天井から所定の高さに吊設するためのものであり、少なくとも１つのロッド部材１０４及び少なくとも１本のフレキシブルな吊り索を含む。この吊設装置１０１の使用方法は、少なくとも１つの磁気結合手段１０７、１０８をロッド部材１０４の少なくとも１つの取り付け手段１０６に取り付けるステップと、少なくとも１つの磁気結合手段１０７、１０８を、天井または天井の下側に設けられた吊り天井の所望の位置で前記天井または吊り天井の金属面に磁気的に結合させるステップと、ロッド部材１０４の少なくとも１つのアライメント手段１０９によって、吊り索のループ上側部分１０５´をロッド部材１０４にその長手方向に摺動自在に吊り下げるステップと、少なくとも１つの吊り下げ手段１１０によって、吊り索のループ下側部分１０５´´に物体１０２を吊り下げるステップと、ロッド部材１０４及び吊り下げ手段１１０間における吊り索１０５の長さＬ１を長さ調節器具１１１によって調節するステップと、吊り索のループ上側部分１０５´のロッド部材１０３の長手方向への摺動調節（Ｚ１）及び／または吊り索のループ下側部分１０５´´の吊り下げ手段１１０の長手方向への摺動調節（Ｚ２）によって、物体１０２のアライメント（傾き）及び／または床からの高さを調節するステップとを含む。
【００２６】
以上、本発明のいくつかの実施形態について、添付図面を参照して説明した。上述した実施形態及び図面の細部は一例に過ぎず、他の様々な実施形態が特許請求の範囲の範囲内でなし得ることを理解されたい。
【００２７】
よって、磁気結合手段１０７、１０８（２０７）をロッド部材に取り付けるための取り付け手段１０６（２０６）は、必ずしも、磁気結合手段の頭部と係合可能な形状を有する溝である必要はなく、その代わりに、磁気結合手段に設けられた係合部または係合面と互いに係合可能なフック、ループ、開口部または粘着部であってもよい。
【００２８】
さらに、本発明の吊設装置は、店舗やオフィス以外の場所、例えば空港ターミナル、鉄道の駅、バスターミナル、その他の公共建物などにも使用することができ、情報表示装置や視覚的表示装置などを吊り下げるのに好適である。本発明による吊設装置はまた、美術館や博物館などにおいて絵画や美術品などを吊り下げるのにも好適であり得る。
【００２９】
また、添付図面には図示していないが、前記吊り下げ手段を適切な材料の直線状ロッドから構成し、物体に設けたフックを該ロッドに引っ掛けるようにした実施形態や、前記吊り下げ手段を、１または複数の、Ｖ字状に折り曲げられた相互作用金属板部材から構成した実施形態も考えられる。さらに、前記長さ調節器具が、蛍光灯器具または他の吊り下げられる物体に直接的に取り付ることができるように構成されたワイヤロックからなり、かつ、前記吊り下げ手段が、前記吊り索における前記長さ調節器具が設けられていない側の端部に設けられ、物体と係合することができるように構成された単一の係合部材からなる実施形態が考えられる。このような実施形態では、前記係合部材は、吊り索の端部に設けられた突起により保持され、吊り下げられる物体に設けられた凹部または溝に挿入することにより前記物体と係合することができる穴付き板座金（slotted plate washer）から構成され得る。
【図１】
2013513214.tif 000003
【図２】
2013513214.tif 000004
【図３】
2013513214.tif 000005
【図４】
2013513214.tif 000006
【国際調査報告】
2013513214.tif 000007
2013513214.tif 000008
2013513214.tif 000009